(57)【特許請求の範囲】
【請求項１】
原稿データーを取得し、前記原稿データーに含まれる各ページに、当該ページを識別するためのページ識別情報が含まれるか否かを判定するためのデーター取得手段と、
前記原稿データーに含まれる前記ページ識別情報が、予め記憶している表示基準を満たしているかどうかを判定するための視認性判定手段と、
前記原稿データーの各ページに対して、当該ページを特定するための第１識別情報を付すことで聴衆用資料のための画像データーである第１の画像データーを生成するための聴衆用データー生成手段と、
前記原稿データーの各ページに対して、当該ページを特定するためのページ識別情報であって前記表示基準を満たしているページ識別情報を第２識別情報として付すことで、発表者用資料のための画像データーである第２の画像データーを生成するための発表者用データー生成手段とを備える、画像形成装置。
【請求項２】
前記表示基準は、前記原稿データーに含まれる各ページ内のページ識別情報のサイズの、当該ページ内に含まれる他のデーターのサイズに対する比率が予め規定されたしきい値以上であることである、請求項１に記載の画像形成装置。
【請求項３】
前記表示基準は、前記原稿データーに含まれる各ページ内のページ識別情報のサイズが予め規定されたしきい値以上であることである、請求項１に記載の画像形成装置。
【請求項４】
前記表示基準は、前記原稿データーに含まれる各ページ内のページ識別情報の色が背景色との明度差およびまたは色空間距離が、予め規定されたしきい値以上であることである、請求項１に記載の画像形成装置。
【請求項５】
前記原稿データーに含まれる各ページに前記ページ識別情報が含まれていない場合に、前記原稿データーに含まれる各ページに当該ページに固有のページ識別情報を生成するためのページ識別情報生成手段をさらに備える、請求項１〜４のいずれかに記載の画像形成装置。
【請求項６】
前記データー取得手段は、さらに、前記原稿データーに含まれる各ページに前記ページ識別情報が含まれる場合に、同じページ識別情報が異なるページに重複して含まれていないかを判定し、
同じページ識別情報が重複している場合に、新たに、前記原稿データーに含まれる各ページに当該ページに固有のページ識別情報を生成するためのページ識別情報生成手段をさらに含む、請求項１〜５のいずれかに記載の画像形成装置。
【請求項７】
前記データー取得手段は、さらに、前記原稿データーに含まれる各ページに前記ページ識別情報が含まれる場合に、前記ページ識別情報が前記原稿データーにおいて連続しているかを判定し、
前記ページ識別情報が前記原稿データーにおいて連続していない場合に、新たに、前記原稿データーに含まれる各ページに当該ページに固有のページ識別情報を生成するためのページ識別情報生成手段をさらに含む、請求項１〜６のいずれかに記載の画像形成装置。
【請求項８】
聴衆用データー生成手段は、前記ページ識別情報生成手段において生成された前記ページ識別情報に基づいて前記原稿データーに含まれる各ページに前記原稿データーにおいて連続して対応させる第１識別情報を生成し、前記原稿データーに含まれる各ページに合成することで前記第１の画像データーを生成する、請求項５〜７のいずれかに記載の画像形成装置。
【請求項９】
前記原稿データーが複数の資料からなるものである場合、前記聴衆用データー生成手段は、前記ページ識別情報生成手段において生成された前記ページ識別情報に基づいて前記資料に対応した第１識別情報を生成し、前記原稿データーに含まれる各ページのうちの前記資料に属するページに合成することで前記第１の画像データーを生成する、請求項５〜７のいずれかに記載の画像形成装置。
【請求項１０】
前記原稿データーが複数の資料からなるものである場合、前記聴衆用データー生成手段は、前記ページ識別情報生成手段において生成された前記ページ識別情報に基づいて、前記資料に対応した情報および前記資料中の当該ページの位置に応じた情報を含んだ第１識別情報を生成し、当該ページに合成することで前記第１の画像データーを生成する、請求項５〜７のいずれかに記載の画像形成装置。
【請求項１１】
前記データー取得手段において前記画像データーに含まれるページにページ識別情報が予め含まれると判定された場合に、前記聴衆用データー生成手段は、前記第１識別情報を前記原稿データーに予め含まれるページ識別情報と置き換える、請求項１〜１０のいずれかに記載の画像形成装置。
【請求項１２】
前記画像データーに含まれるページに予め含まれるページ識別情報が他のページに引用されている場合に、前記聴衆用データー生成手段は、前記第１識別情報を前記原稿データーに予め含まれるページ識別情報と異なる表示態様となるように付加する、請求項１〜１０のいずれかに記載の画像形成装置。
【請求項１３】
前記発表者用データー生成手段は、前記第１識別情報を前記表示基準を満たすように変換することで前記第２識別情報を生成し、前記原稿データーの各ページに合成することで前記第２の画像データーを生成する、請求項１〜１２のいずれかに記載の画像形成装置。
【請求項１４】
前記発表者用データー生成手段は、前記画像データーの各ページに対応する前記第１識別情報が前記原稿データーにおいて連続している場合に、前記原稿データーの各ページの余白部分に前記第２識別情報を合成することで前記第２の画像データーを生成する、請求項１３に記載の画像形成装置。
【請求項１５】
前記発表者用データー生成手段は、前記画像データーの各ページに対応する前記第１識別情報が前記原稿データーにおいて連続している場合に、前記第２識別情報をページ全体のサイズの透かし画像として前記原稿データーに合成する、請求項１３に記載の画像形成装置。
【請求項１６】
前記第１識別情報が前記原稿データーに固有のものである場合、前記発表者用データー生成手段は、前記第１識別情報に対応した前記第２識別情報をページごとに異なる位置に合成する、請求項１３に記載の画像形成装置。
【請求項１７】
前記第１の画像データーが１枚の用紙に前記原稿データーの複数のページを配置したものである場合に、
前記聴衆用データー生成手段は、前記第１識別情報として、前記用紙における各ページの位置に固有の情報を前記原稿データーに含まれる各ページに合成すると共に、前記各ページを前記用紙に配置してなる画像データーに前記用紙に固有の情報を合成して前記第１の画像データーを生成し、
前記発表者用データー生成手段は、前記第１識別情報に含まれる前記用紙に固有の情報と前記用紙における位置に固有の情報とを前記原稿データーの各ページに合成することで前記第２の画像データーを生成する、請求項１〜１６のいずれかに記載の画像形成装置。
【請求項１８】
画像形成装置において、原稿データーから聴衆用資料のための画像データーである第１の画像データーと発表者用資料のための画像データーである第２の画像データーとを生成するための画像形成方法であって、
前記原稿データーを取得し、前記原稿データーに含まれる各ページに、当該ページを識別するためのページ識別情報が含まれるか否かを判定するステップと、
前記原稿データーに含まれる前記ページ識別情報が、予め記憶している表示基準を満たしているかどうかを判定するステップと、
前記原稿データーの各ページに対して、当該ページを特定するための第１識別情報を付すことで前記第１の画像データーを生成するステップと、
前記原稿データーの各ページに対して、当該ページを特定するためのページ識別情報であって前記表示基準を満たしているページ識別情報を第２識別情報として付すことで前記第２の画像データーを生成するステップとを備える、画像形成方法。
【請求項１９】
画像形成装置に、原稿データーから聴衆用資料のための画像データーである第１の画像データーと発表者用資料のための画像データーである第２の画像データーとを生成する処理を行なわせるための画像形成プログラムであって、
前記原稿データーを取得し、前記原稿データーに含まれる各ページに、当該ページを識別するためのページ識別情報が含まれるか否かを判定するステップと、
前記原稿データーに含まれる前記ページ識別情報が、予め記憶している表示基準を満たしているかどうかを判定するステップと、
前記原稿データーの各ページに対して、当該ページを特定するための第１識別情報を付すことで前記第１の画像データーを生成するステップと、
前記原稿データーの各ページに対して、当該ページを特定するためのページ識別情報であって前記表示基準を満たしているページ識別情報を第２識別情報として付すことで前記第２の画像データーを生成するステップとを前記画像形成装置に実行させる、画像形成プログラム。
【発明の詳細な説明】
【技術分野】
【０００１】
この発明は画像形成装置、画像形成方法、および画像形成プログラムに関し、特に、画像データーに基づいて発表用の資料を作成する画像形成装置、画像形成方法、および画像形成プログラムに関する。
【背景技術】
【０００２】
講演会やミーティングなどでは、聴衆者は事前に配布された資料を手元で確認しながら発表を聞く、というスタイルがよく採られている。
【０００３】
ところが、聴衆者が配布された資料のうちの発表内容に対応したページが特定できないと、発表者が配布資料中のどのページに対して説明しているのか分からない。
【０００４】
また、事前に配布された資料が発表用のスライドとして投影されて、その発表スライドにページ番号が記載されている場合でも、距離が離れているとページ番号が見えない場合があるため、聴衆者は発表内容と異なるページを見てしまうことがある。
【０００５】
また、発表スライドのページ番号が見えたとしても、手元の資料が複数の資料から構成されるものであった場合にはページ数が重複する場合があるため、発表内容に対応したページを特定することができない。
【０００６】
上記問題を解決する方法として、予め登録してある個人情報（視覚に関する情報、年齢、性別、国籍など）によってデーター内の文字や図のサイズを変更したり文字色を変更したりして出力する画像形成装置がある。たとえば、特開２００９−１９９２６２号公報（以下、特許文献１）は、所定の印刷データーを送受信する送受信手段（ネットワーク通信制御部）と、画像形成を行なった所定の記録媒体を配布予定の個人に関する情報を記憶する記憶手段と、記憶されている前記個人に関する情報に基づいて印刷データーに所定の処理を施すデーター処理手段と、処理結果に基づいて所定の記録媒体に画像形成する画像形成手段とを備える画像形成装置を開示している。
【０００７】
上記従来技術を応用して個人情報として「発表者」という項目を登録しておき、文字や画像のサイズを変更し、聴衆者から見やすい資料を出力させることが考えられる。
【先行技術文献】
【特許文献】
【０００８】
【特許文献１】特開２００９−１９９２６２号公報
【発明の概要】
【発明が解決しようとする課題】
【０００９】
しかしながら、上記方法では、資料内の文字や画像サイズの変更は登録してある個人情報に対応付けられているため、予めページ番号が記載されており、また聴衆者が十分に認識することのできるサイズや色を有している場合であっても、不必要なデーターの改変が行なわれてしまい、資料内のレイアウトが崩れてしまう場合という問題があった。
【００１０】
本発明はこのような問題に鑑みてなされたものであって、効率的に、かつ、聴衆にとって見やすい資料を作成することのできる画像形成装置、画像形成方法、および画像形成プログラムを提供することを目的としている。
【課題を解決するための手段】
【００１１】
上記目的を達成するために、本発明のある局面に従うと、画像形成装置は、原稿データーを取得し、原稿データーに含まれる各ページに、当該ページを識別するためのページ識別情報が含まれるか否かを判定するためのデーター取得手段と、原稿データーに含まれるページ識別情報が、予め記憶している表示基準を満たしているかどうかを判定するための視認性判定手段と、原稿データーの各ページに対して、当該ページを特定するための第１識別情報を付すことで聴衆用資料のための画像データーである第１の画像データーを生成するための聴衆用データー生成手段と、原稿データーの各ページに対して、当該ページを特定するためのページ識別情報であって表示基準を満たしているページ識別情報を第２識別情報として付すことで、発表者用資料のための画像データーである第２の画像データーを生成するための発表者用データー生成手段とを備える。
【００１２】
好ましくは、表示基準は、原稿データーに含まれる各ページ内のページ識別情報のサイズの、当該ページ内に含まれる他のデーターのサイズに対する比率が予め規定されたしきい値以上であることである。
【００１３】
好ましくは、表示基準は、原稿データーに含まれる各ページ内のページ識別情報のサイズが予め規定されたしきい値以上であることである。
【００１４】
好ましくは、表示基準は、原稿データーに含まれる各ページ内のページ識別情報の色が背景色との明度差およびまたは色空間距離が、予め規定されたしきい値以上であることである。
【００１５】
好ましくは、画像形成装置は、原稿データーに含まれる各ページにページ識別情報が含まれていない場合に、原稿データーに含まれる各ページに当該ページに固有のページ識別情報を生成するためのページ識別情報生成手段をさらに備える。
【００１６】
好ましくは、データー取得手段は、さらに、原稿データーに含まれる各ページにページ識別情報が含まれる場合に、同じページ識別情報が異なるページに重複して含まれていないかを判定し、同じページ識別情報が重複している場合に、新たに、原稿データーに含まれる各ページに当該ページに固有のページ識別情報を生成するためのページ識別情報生成手段をさらに含む。
【００１７】
好ましくは、データー取得手段は、さらに、原稿データーに含まれる各ページにページ識別情報が含まれる場合に、ページ識別情報が原稿データーにおいて連続しているかを判定し、ページ識別情報が原稿データーにおいて連続していない場合に、新たに、原稿データーに含まれる各ページに当該ページに固有のページ識別情報を生成するためのページ識別情報生成手段をさらに含む。
【００１８】
好ましくは、聴衆用データー生成手段は、ページ識別情報生成手段において生成されたページ識別情報に基づいて原稿データーに含まれる各ページに原稿データーにおいて連続して対応させる第１識別情報を生成し、原稿データーに含まれる各ページに合成することで第１の画像データーを生成する。
【００１９】
好ましくは、原稿データーが複数の資料からなるものである場合、聴衆用データー生成手段は、ページ識別情報生成手段において生成されたページ識別情報に基づいて資料に対応した第１識別情報を生成し、原稿データーに含まれる各ページのうちの当該資料に属するページに合成することで第１の画像データーを生成する。
【００２０】
好ましくは、原稿データーが複数の資料からなるものである場合、聴衆用データー生成手段は、ページ識別情報生成手段において生成されたページ識別情報に基づいて、資料に対応した情報および資料中の当該ページの位置に応じた情報を含んだ第１識別情報を生成し、当該ページに合成することで第１の画像データーを生成する。
【００２１】
好ましくは、データー取得手段において画像データーに含まれるページにページ識別情報が予め含まれると判定された場合に、聴衆用データー生成手段は、第１識別情報を原稿データーに予め含まれるページ識別情報と置き換える。
【００２２】
好ましくは、画像データーに含まれるページに予め含まれるページ識別情報が他のページに引用されている場合に、聴衆用データー生成手段は、第１識別情報を原稿データーに予め含まれるページ識別情報と異なる表示態様となるように付加する。
【００２３】
好ましくは、発表者用データー生成手段は、第１識別情報を表示基準を満たすように変換することで第２識別情報を生成し、原稿データーの各ページに合成することで第２の画像データーを生成する。
【００２４】
より好ましくは、発表者用データー生成手段は、画像データーの各ページに対応する第１識別情報が原稿データーにおいて連続している場合に、原稿データーの各ページの余白部分に第２識別情報を合成することで第２の画像データーを生成する。
【００２５】
好ましくは、発表者用データー生成手段は、画像データーの各ページに対応する第１識別情報が原稿データーにおいて連続している場合に、第２識別情報をページ全体のサイズの透かし画像として原稿データーに合成する。
【００２６】
好ましくは、第１識別情報が原稿データーに固有のものである場合、発表者用データー生成手段は、第１識別情報に対応した第２識別情報をページごとに異なる位置に合成する。
【００２７】
好ましくは、第１の画像データーが１枚の用紙に原稿データーの複数のページを配置したものである場合に、聴衆用データー生成手段は、第１識別情報として、当該用紙における各ページの位置に固有の情報を原稿データーに含まれる各ページに合成すると共に、各ページを用紙に配置してなる画像データーに用紙に固有の情報を合成して第１の画像データーを生成し、発表者用データー生成手段は、第１識別情報に含まれる用紙に固有の情報と用紙における位置に固有の情報とを原稿データーの各ページに合成することで第２の画像データーを生成する。
【００２８】
本発明の他の局面に従うと、画像形成方法は、画像形成装置において原稿データーから聴衆用資料のための画像データーである第１の画像データーと発表者用資料のための画像データーである第２の画像データーとを生成するための画像形成方法であって、原稿データーを取得し、原稿データーに含まれる各ページに、当該ページを識別するためのページ識別情報が含まれるか否かを判定するステップと、原稿データーに含まれるページ識別情報が、予め記憶している表示基準を満たしているかどうかを判定するステップと、原稿データーの各ページに対して、当該ページを特定するための第１識別情報を付すことで第１の画像データーを生成するステップと、原稿データーの各ページに対して、当該ページを特定するためのページ識別情報であって表示基準を満たしているページ識別情報を第２識別情報として付すことで第２の画像データーを生成するステップとを備える。
【００２９】
本発明のさらに他の局面に従うと、画像形成プログラムは画像形成装置に原稿データーから聴衆用資料のための画像データーである第１の画像データーと発表者用資料のための画像データーである第２の画像データーとを生成する処理を行なわせるための画像形成プログラムであって、原稿データーを取得し、原稿データーに含まれる各ページに、当該ページを識別するためのページ識別情報が含まれるか否かを判定するステップと、原稿データーに含まれるページ識別情報が、予め記憶している表示基準を満たしているかどうかを判定するステップと、原稿データーの各ページに対して、当該ページを特定するための第１識別情報を付すことで第１の画像データーを生成するステップと、原稿データーの各ページに対して、当該ページを特定するためのページ識別情報であって表示基準を満たしているページ識別情報を第２識別情報として付すことで第２の画像データーを生成するステップとを画像形成装置に実行させる。
【発明の効果】
【００３０】
この発明によると、効率的に、かつ、聴衆にとって見やすい資料を作成することができる。
【図面の簡単な説明】
【００３１】
【図１】実施の形態にかかる画像形成装置１００の構成の具体例を示す図である。
【図２】ページ識別情報が表示基準のうちの条件１を満たしていない場合の具体例を表わした図である。
【図３】ページ識別情報が表示基準のうちの条件２を満たしていない場合の具体例を表わした図である。
【図４】ページ識別情報が表示基準のうちの条件３を満たしていない場合の具体例を表わした図である。
【図５】ページ識別情報が表示基準のうちの条件３を満たしていない場合の他の具体例を表わした図である。
【図６】資料の表示状況の一例を表わした図である。
【図７】ページごとに個別に割り当てられるページ識別情報の具体例を表わした図である。
【図８】資料内容に応じて個別に割り当てられるページ識別情報の具体例を表わした図である。
【図９】階層構造化された識別情報の具体例を表わした図である。
【図１０】入力資料に予めページ識別情報が記されている場合の第１のページ識別情報を付加する方法を表わした図である。
【図１１】入力資料に予めページ識別情報が記されている場合の第１のページ識別情報を付加する方法を表わした図である。
【図１２】入力資料のページの具体例を表わした図である。
【図１３】第１のページ識別情報と第２のページ識別情報との関係の第１の例を表わした図である。
【図１４】第１のページ識別情報と第２のページ識別情報との関係の第１の例を表わした図である。
【図１５】第１のページ識別情報と第２のページ識別情報との関係の第２の例を表わした図である。
【図１６】第１のページ識別情報と第２のページ識別情報との関係の第２の例を表わした図である。
【図１７】聴衆用資料である第１の資料として複数枚の原稿を１ページに印刷する場合の、第１のページ識別情報と第２のページ識別情報との関係の第１の例を表わした図である。
【図１８】聴衆用資料である第１の資料として複数枚の原稿を１ページに印刷する場合の、第１のページ識別情報と第２のページ識別情報との関係の他の例を表わした図である。
【図１９】ページ識別情報の作成方法を表わした図である。
【図２０】ページ識別情報の作成方法を表わした図である。
【図２１】ページ識別情報の作成方法を表わした図である。
【図２２】画像形成装置の機能構成の具体例を示すブロック図である。
【図２３】画像形成装置での、聴衆用資料および発表者用資料のための画像データーを生成する動作の流れをあらわすフローチャートである。
【図２４】図２３のステップＳ１０７での判定処理の具体的な流れを表わしたフローチャートである。
【図２５】図２３のステップＳ１０７での判定処理の具体的な流れを表わしたフローチャートである。
【図２６】図２３のステップＳ１０７での判定処理の具体的な流れを表わしたフローチャートである。
【図２７】図２３のステップＳ１０７での判定処理の具体的な流れを表わしたフローチャートである。
【図２８】図２３のステップＳ１０７での判定処理の具体的な流れを表わしたフローチャートである。
【発明を実施するための形態】
【００３２】
以下に、図面を参照しつつ、本発明の実施の形態について説明する。以下の説明では、同一の部品および構成要素には同一の符号を付してある。それらの名称および機能も同じである。
【００３３】
＜装置構成＞
図１は、本実施の形態にかかる画像形成装置１００の構成の具体例を示す図である。
【００３４】
図１を参照して、画像形成装置１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該画像形成装置１００に対する操作入力を受け付けたりするためのタッチパネルを含んだ操作パネル１５と、画像データー等を保存するためのメモリー１６と、他の装置との通信を制御するための通信コントローラー１７とを含む。
【００３５】
＜動作概要＞
画像形成装置１００では、資料情報（入力資料）である画像データーの入力を受け付け、当該資料情報に基づいて第１の資料（聴衆用資料）と第２の資料（発表者用資料）との２種類の出力を行なう。第１の資料は、聴衆に配布することで聴衆が手元において参照するために用いる資料である。第２の資料は、講演会やプレゼンテーションなどにおいて聴衆の前にスライド等で表示し、かつ、発表者が参照するために用いる資料である。
【００３６】
画像形成装置１００は、第１の資料にも第２の資料にも、各ページに当該ページを識別するためのページ番号などのページ識別情報を重畳して出力する。その際、第２の資料である発表者用資料には、聴衆用資料より視認性の高いページ識別情報を付す。第１の資料に付されるページ識別情報を「第１のページ識別情報」、第２の資料に付されるページ識別情報を「第２のページ識別情報」とも称する。
【００３７】
（ページ識別情報の視認性について）
上記「視認性の高いページ識別情報」は以下３つの条件からなる表示基準を満たす識別情報であるものとする：
条件１．ページ識別情報のサイズのページ内の他の文字サイズに対する比率がある一定比率よりも大きいこと、
条件２．ページ識別情報のサイズがある一定サイズよりも大きいこと、
条件３．ページ識別情報の色がその背景色の色と十分に明度差・色相差（色空間での距離）を有していること。
【００３８】
つまり、第２の資料である発表者用資料に付される第２のページ識別情報は、上記条件１〜３を表示基準として満たすものである。
【００３９】
図２は、ページ識別情報が上記条件１を満たしていない場合の具体例を表わした図である。ここでは、一定比率を８０％とする。図２では、資料内のページ識別情報以外の文字サイズの最小値が２４ｐｔであり、ページ識別情報の文字サイズが１５ｐｔであるため、文字サイズの比率が６２．５％となって条件１を満たしていない。
【００４０】
図２においては、資料内のページ識別情報以外の文字のサイズに対して相対的にページ識別情報の文字のサイズが小さいため、ページ識別情報が見難く感じられる。
【００４１】
図３は、ページ識別情報が上記条件２を満たしていない場合の具体例を表わした図である。ここでは、一定サイズを１５ｐｔとする。図３では、ページ識別情報の文字サイズが１５ｐｔであり、条件２を満たしていない。
【００４２】
図３の場合には、資料内のページ識別情報以外の文字サイズの最小値が１５ｐｔであるために上記条件１は満たしているものの、ページ識別情報自体が小さいため、ページ識別情報が見難い。
【００４３】
図４は、ページ識別情報が上記条件３を満たしていない場合の具体例を表わした図である。ここでは、明度差のしきい値を５０とする。図４では、背景色の色値であるＲＧＢ値＝（０，０，０）であって明度が０であり、ページ識別情報のＲＧＢ値＝（８０，８０，８０）であって明度が３４であるため、その差が３４となって条件３の明度差の条件を満たしていない。
【００４４】
図４においては、背景色からページ識別情報の文字の識別がし難いため、ページ識別情報が見難く感じられる。
【００４５】
図５は、ページ識別情報が上記条件３を満たしていない場合の他の具体例を表わした図である。ここでは、色相差のしきい値を１５０とする。図５では、背景色のＲＧＢ値＝（２５５，２５５，１５３）であり、ページ識別情報のＲＧＢ値＝（２５５，２１１，２２）であるため、その差であるＲＧＢ距離が、ＲＧＢ距離＝ｓｑｒｔ（（２５５−２５５）＾２＋（２５５−２１１）＾２＋（１５３−２２）＾２）＝１３８となって条件３の色相差の条件を満たしていない。
【００４６】
図５においては、背景色に対するページ識別情報のコントラストが小さいためにページ識別情報の文字の識別がし難くなり、ページ識別情報が見難く感じられる。
【００４７】
なお、上記条件１〜３で規定される表示基準値は、実験によって求められた聴衆者が認識できる最適値を予めデフォルト値で設定しておいてもよいし、ユーザー（資料作成者）が任意の値を設定（変更）することができるようにしてもよい。また、ユーザーが設定した任意の値を画像形成装置１００内部に保持しておき、次回の作成時もその値を読み出して用いるようにしてもよい。
【００４８】
さらに、ページ識別情報が上述の条件１〜３を満たしていた場合でも、発表を行なう会場の大きさ・明るさやスライド表示投影面積によって、聴衆からページ識別情報が認識できない場合がある。
【００４９】
図６は、資料の表示状況の一例を表わした図である。
図６を参照して、表示される資料は上記条件１〜３を満たすものであったとしても、その投影位置から離れた聴衆（Ｂさん）には、距離が離れすぎているためにページ識別情報が認識できないことになる。
【００５０】
そこで、さらに、画像形成装置１００では予め実験で求められたデフォルト値を記憶しておき、ユーザー（資料作成者）が会場の大きさ・明るさやスライド表示投影面積などに基づいて適した値を設定可能としてもよい。
【００５１】
（第１のページ識別情報の付加について）
聴衆者に配布されて手元資料として用いられる聴衆用資料である第１の資料に付される第１のページ識別情報は、（１）ページごとに個別に割り当てられる、ページ番号や文字などの識別情報、（２）資料内容に応じて個別に割り当てられる、マークや色などの識別情報、および（３）階層構造化された識別情報としての、資料の１ページごとに個別の情報およびその資料内でのページごとに割り当てられる識別情報、の３種類に分類される。
【００５２】
図７は、上記（１）の、ページごとに個別に割り当てられるページ識別情報の具体例を表わした図である。
【００５３】
図７を参照して、ページ識別情報の第１の種類として、当該ページの番号（１０，１１，１２，…）や当該ページ固有に割り当てられた文字（Ａ，Ｂ，Ｃ，…）などが、ページごとに付される。
【００５４】
図８は、上記（２）の、資料内容に応じて個別に割り当てられるページ識別情報の具体例を表わした図である。
【００５５】
図８を参照して、ページ識別情報の第２の種類として、入力資料が複数の資料から構成されるものである場合に、資料ごとに個別に割り当てられたマーク（星印、丸印、三角印、…）や、資料に対応した色（赤、青、緑、…）などが、当該資料に含まれる各ページに付される。
【００５６】
図９は、上記（３）の、階層構造化された識別情報の具体例を表わした図である。
図９を参照して、入力資料が複数の資料から構成されるものである場合に、資料ごとに個別に割り当てられた文字（Ａ，Ｂ，Ｃ，…）と、資料内で当該ページ固有に割り当てられた番号（１，２，３，…）との両方が各ページに付される。
【００５７】
画像形成装置１００では、聴衆用資料である第１の資料に第１のページ識別情報（ページ番号）を付加する方法として、入力資料に予めページ識別情報（ページ番号）が記されていない場合には、第２の資料である発表者用資料に対応したページ識別情報を付加する。または、入力資料に予めページ識別情報（ページ番号）が記されている場合には、既存のページ識別情報に上書きするか、第１のページ識別情報（通し番号）であることを明記して、別の箇所に記載するかの選択を受け付けて、選択に従って第１の識別情報を付す。
【００５８】
図１０および図１１は、入力資料に予めページ識別情報が記されている場合の第１のページ識別情報を付加する方法をそれぞれ表わした図である。図１０および図１１の左側は入力資料を表わしており、この例では、入力資料のあるページにページ識別情報として「Ｐ１００」が付されている。これに対して、画像形成装置１００では資料全体の当該ページが３００ページ目であると判断した場合には第１のページ識別情報として通し番号に該当する「Ｐ３００」などを付す。
【００５９】
第１の方法として、図１０に表わされたように、入力資料に記されているページ識別情報「Ｐ１００」に第１のページ識別情報「Ｐ３００」を上書きして付加する。
【００６０】
第２の方法として、図１１に表わされたように、入力資料に記されているページ識別情報「Ｐ１００」とは別に、第１のページ識別情報「Ｐ３００」を第１のページ識別情報（通し番号）であることが分かるようにして付加する。
【００６１】
なお、入力資料に予め記されているページ識別情報が資料内で重要な意味を持つ場合も考えられる。図１２は、入力資料のページの具体例を表わした図である。図１２の入力資料には予めページ番号が付されており、さらに、ページ番号を用いて他のページを指し示す内容が含まれている例が表わされている。
【００６２】
こういった場合には、予め記されているページ識別情報（ページ番号）を第１のページ情報（通し番号）で上書きしてしまうと、参照先のページを特定できなくなる。そこで、入力資料が図１２のような場合には、予め記されているページ識別情報とは別に第１のページ識別情報を付加する必要がある。すなわち、この場合、予め記されているページ識別情報は残し、該ページ識別情報とは別に、第１のページ識別情報を予め記されているページ識別情報とは別に付されたページ識別情報と区別して付加する。具体的には、予め記されているページ識別情報とは異なる表示態様（色、サイズ等）で第１のページ識別情報を付加することが挙げられる。
【００６３】
（第１のページ識別情報と第２のページ識別情報との関係）
画像形成装置１００では、第１の例として、聴衆用資料である第１の資料には第１のページ識別情報を資料内の空白位置に付加し、発表者用資料である第２の資料にはページ全体に、ウォーターマークを使って、第１のページ識別情報と同じ内容の情報を第２のページ識別情報として付加する例が挙げられる。これにより、第２の資料は遠くからでも認識できるようになる。
【００６４】
図１３および図１４は、第１のページ識別情報と第２のページ識別情報との関係の第１の例を表わした図である。図１３および図１４の左側は入力資料を表わしており、この例では、入力資料にはページ識別情報が付加されていない。これに対して、図１３では、画像形成装置１００では資料全体の当該ページが１００ページ目であると判断した場合には第１の識別情報としても第２のページ識別情報としても通し番号に該当する「１００Ｐ」などを付す。また、図１４に表わされたように、資料を表わす情報「Ａ」と共にページ識別情報「１」を付してもよい。
【００６５】
さらに、この例では、図１３および図１４を参照して、聴衆用資料である第２の資料には第２のページ識別情報として当該ページの空白位置（たとえば隅）に「１００Ｐ」または「Ａ−１」が付されるのに対して、発表者用資料である第１の資料には第１のページ識別情報として当該ページ全体に、ウォーターマークや地紋などの透かし画像にて「１００Ｐ」または「資料Ａ−１」が付される。これにより、遠くからでも認識できるようになる。
【００６６】
第１のページ識別情報と第２のページ識別情報との関係の第２の例として、第１のページ識別情報と第２のページ識別情報とのいずれとしても、資料内容に固有の色やマークを付すことが挙げられる。このとき、第１のページ識別情報は資料内部の空白位置に付加し、第２のページ識別情報は、隣接するページとは異なる位置に付加される。つまり、ページごとに異なる位置に付加される。これにより、資料内容を把握しやすくなる。
【００６７】
図１５および図１６は、第１のページ識別情報と第２のページ識別情報との関係の第２の例を表わした図である。図１５および図１６の左側は入力資料を表わしており、この例では、入力資料にはページ識別情報が付加されていない。画像形成装置１００では、入力資料ごとに当該資料に固有の色やマークを特定する。
【００６８】
図１５を参照して、この例の場合、資料に固有の色が特定されて、第１の資料の予め規定された位置（この例では右縦辺）に所定の大きさで、第１のページ識別情報としてその色の領域が設けられる。また、隣接するページには、異なる位置でそのページの第１のページ識別情報として当該色の領域が設けられる。第２の資料には、同じ色が予め規定された位置に所定の大きさ（この例では右縦辺全体）で第２のページ識別情報として付される。
【００６９】
図１６を参照して、この例の場合、資料に固有のマーク（星型）が特定されて、第１の資料の予め規定された位置（この例では右縦辺）に第１のページ識別情報として付加される。また、隣接するページには、異なる位置でそのページの第１のページ識別情報として同じマーク（星型）が付される。第２の資料には、同じマーク（星型）が予め規定された位置（この例では右上隅）に第２のページ識別情報として付される。
【００７０】
なお、図１７は、聴衆用資料である第１の資料として複数枚の原稿を１ページに印刷する場合の、第１のページ識別情報と第２のページ識別情報との関係の第１の例を表わした図である。この場合、聴衆用資料である第１の資料には、第１のページ識別情報として、原稿の各ページの当該用紙中の位置（順）を表わしたページ識別情報が原稿ごとに付されると共に、当該用紙に固有の情報（用紙番号等）が付加される。この例では、用紙に固有上の情報として当該用紙に「Ａ」が付加されると共に、その用紙中の各ページの順が数字で付されている。
【００７１】
このとき、発表者用資料である第２の資料には第２のページ識別情報として、上記用紙に固有の情報（用紙番号等）と当該用紙中の位置（順）を表わしたページ識別情報とが付加される。
【００７２】
なお、図１７の例の他、図１８に表わされたように、第２の資料には第２のページ識別情報が付加されなくてもよい。
【００７３】
（ページ判定について）
従来、ユーザーログインなどに従って、ユーザー情報ごとに資料が作成されるため、出力される資料がお互いに独立したものとなる。そのため、入力資料に予めページ番号などのページ識別情報が重畳されており、かつ、そのページ情報が資料全体で重複したり、連番となっていなかったりした場合には、第１の資料と第２の資料との間でページ情報が対応しなくなる。このため、大きく表示された発表者用資料を見ながら配布された手元の聴衆用資料の位置を特定することが難しくなる場合がある。
【００７４】
そこで、本実施の形態にかかる画像形成装置１００では、入力資料中にページ番号が記載されているか判定すると共に、ページ番号が資料全体を通して重複していないか、連続して記載されているかを判定する。すなわち、
ＳＴＥＰ１：資料全体を通して、ページ番号と見られるものが記載されているか、
ＳＴＥＰ２：資料全体を通して、ページ番号と見られるものが重複していないか、
ＳＴＥＰ３：資料全体を通して、ページ番号と見られるものが連続して記載されているか、の３点を判定し、その判定結果に基づいてページ識別情報を作成する。
【００７５】
図１９〜図２１は、ページ識別情報の作成方法を表わした図である。詳しくは、図１９は入力資料にページ番号が記されていない場合（上記ＳＴＥＰ１でＮＯ）のページ識別情報の作成方法を表わした図であり、図２０は入力資料全体を通してページ番号が重複している場合（上記ＳＴＥＰ２でＮＯ）のページ識別情報の作成方法を表わした図であり、図２１は入力資料全体を通してページ番号が連続していない場合（上記ＳＴＥＰ２でＮＯ）のページ識別情報の作成方法を表わした図である。
【００７６】
この場合、画像形成装置１００では、資料の一部または全部に対してページ識別情報を作成する。この例では、入力資料の原稿順に１，２，…としたページ番号をページ識別情報として作成している。
【００７７】
＜機能構成＞
図２２は、上記動作を行なうための画像形成装置１００の機能構成の具体例を示すブロック図である。図２２に表わされた各機能は、画像形成装置１００のＣＰＵ１０がＲＯＭ１１に記憶されているプログラムを読み出してＲＡＭ１２上に展開して実行することによって、主にＣＰＵ１０上に形成される機能である。しかしながら、少なくとも一部の機能がハードウェア構成によって実現されてもよい。
【００７８】
図２２を参照して、メモリー１６には、発表者用資料である第２の資料を投影するためのスクリーンの大きさや会場となる部屋の大きさなどの外部環境情報を記憶するための記憶領域である外部環境情報記憶部１６１が設けられる。
【００７９】
さらに図２２を参照して、ＣＰＵ１０は、スキャナー１３や通信コントローラー１７を介して他の装置から入力資料である画像データーを取得するための取得部１０１と、入力資料に対して、必要に応じてページ識別情報を生成するためのページ識別情報生成部１０２と、入力資料に予め付加されているページ識別情報またはページ識別情報生成部１０２で生成されたページ識別情報の視認性を判定するための視認性判定部１０３と、発表者用資料である第２の資料のための画像データー（発表者用データー）を生成するための発表者用データー生成部１０４と、聴衆用資料である第１の資料のための画像データー（聴衆用データー）を生成するための聴衆用データー生成部１０５とを含む。
【００８０】
ページ識別情報生成部１０２は入力資料である画像データーを解析することで各ページにページ番号等のページ識別情報が含まれているか否かを判断する。含まれている場合には、さらに、そのページ番号が資料全体として連続したものであるか、または他のページとは独立したものであるなどの連続していないものであるか、を判断する。そして、入力資料の各ページにページ識別情報が含まれていない場合や連続していない場合には、資料全体としてページの連続を表わすように通し番号等の各ページのページ識別情報を生成する。
【００８１】
視認性判定部１０３は、入力資料にページ識別情報が含まれる場合にはそのページ識別情報について、ページ識別情報生成部１０２においてページ識別情報が生成された場合にはそのページ識別情報について、上述の表示基準を満たすか否かを判定する。
【００８２】
聴衆用データー生成部１０５は、予め入力資料の各ページに記されているページ識別情報またはページ識別情報生成部１０２において生成されたページ識別情報に基づいて第１のページ識別情報を生成し、入力資料の各ページに合成（重畳）することで聴衆用データーを生成する。
【００８３】
発表者用データー生成部１０４は、第１のページ識別情報を上述の関係となるように変換することで第２のページ識別情報を生成し、入力資料の各ページに合成（重畳）することで発表者用データーを生成する。このとき、発表者用データー生成部１０４は第２のページ識別情報を、上述の表示基準を満たすように生成する。
【００８４】
＜動作フロー＞
図２３は、画像形成装置１００での、聴衆用資料および発表者用資料のための画像データーを生成する動作の流れをあらわすフローチャートである。この動作は、画像形成装置１００に入力資料が入力され、資料作成動作を開始するための指示がなされることによって開始される。図２３のフローチャートに表わされた動作は、画像形成装置１００のＣＰＵ１０がＲＯＭ１１に記憶されているプログラムを読み出してＲＡＭ１２上に展開して実行し、図２２に表わされた各機能を発揮させることによって実現される。
【００８５】
図２３を参照して、ＣＰＵ１０は、入力資料の各ページを解析し、ページ番号等のページ識別情報が付加されているか否かを判断する（ステップＳ１０１）。一例として、ＣＰＵ１０は、たとえば右下隅など予めページ識別情報が付加される領域を記憶しておき、その領域を画像解析して、そこに含まれる画像が数字やアルファベットなどの予めページ識別情報として用いられる記号のいずれかに該当するか否かを判断することで、ページ識別情報が付加さいれているか否かを判断することができる。
【００８６】
その結果、ページ識別情報が付加されていると判断された場合（ステップＳ１０３でＹＥＳ）、ＣＰＵ１０は、そのページ識別情報が資料全体として連続したものであるか、各ページが独立したものであるなど不連続であるかを判断する（ステップＳ１０３）。
【００８７】
その結果、入力資料に付加されているページ識別情報が連続したものでないと判断された場合には（ステップＳ１０３でＮＯ）、ＣＰＵ１０は、入力資料中の各ページ順に従って各ページについてのページ識別情報を生成する（ステップＳ１０５）。なお、入力資料にページ識別情報が含まれていない場合にも（ステップＳ１０１でＮＯ）、ＣＰＵ１０は、入力資料中の各ページ順に従って各ページについてのページ識別情報を生成する（ステップＳ１０５）。
【００８８】
ＣＰＵ１０は、入力資料に含まれるページ識別情報または上記ステップＳ１０５で生成されたページ識別情報が表示基準を満たしているか否かを判定するための判定処理を実行する（ステップＳ１０７）。
【００８９】
入力資料に資料全体として連続したページ識別情報が付されており、かつ、そのページ識別情報が表示基準を満たすと判定された場合には（ステップＳ１０３でＹＥＳ、かつステップＳ１０７でＹＥＳ）、ＣＰＵ１０は、入力資料である画像データーをそのまま発表者用データーとする。すなわち、入力資料である画像データーをプリンター１４に出力することで、発表者用資料を作成する。
【００９０】
一方、入力資料に含まれているページ識別情報が表示基準を満たさないと判定された場合には（ステップＳ１０３でＹＥＳ、かつステップＳ１０７でＮＯ）、ＣＰＵ１０は、入力資料に付加されているページ識別情報に基づいて表示基準を満たす視認性の高いページ識別情報を第２のページ識別情報として生成し（ステップＳ１０９）、入力資料である画像データーに合成（重畳）することで発表者用データーを生成する（ステップＳ１１１）。ステップＳ１０９での生成は、たとえば、入力資料に付加されているページ識別情報のサイズを大きくしたり、色を変換したりすることが挙げられる。
【００９１】
入力資料に適切なページ識別情報が付されておらずにＣＰＵ１０がページ識別情報を生成した場合であって、かつ、そのページ識別情報が表示基準を満たすと判定された場合には（ステップＳ１０７でＹＥＳ）、ＣＰＵ１０は生成したページ識別情報を第２のページ識別情報として用いて入力資料である画像データーに重畳することで発表者用データーとする。
【００９２】
一方、生成したページ識別情報が表示基準を満たさないと判定された場合には（ステップＳ１０７でＮＯ）、ＣＰＵ１０は生成したページ識別情報に基づいて表示基準を満たす視認性の高いページ識別情報を第２のページ識別情報として生成し（ステップＳ１０９）、入力資料である画像データーに合成（重畳）することで発表者用データーを生成する（ステップＳ１１１）。
【００９３】
さらに、ＣＰＵ１０は、入力資料に資料全体として連続したページ識別情報が付されている場合には、ＣＰＵ１０は、入力資料である画像データーをそのまま聴衆用データーとする。すなわち、入力資料である画像データーをプリンター１４に出力することで、聴衆用資料を作成する。
【００９４】
一方、入力資料に適切なページ識別情報が付されておらずにＣＰＵ１０がページ識別情報を生成した場合には、ＣＰＵ１０は、生成したページ識別情報を第１のページ識別情報として用いて入力資料である画像データーに重畳することで聴衆用データーとする。
【００９５】
図２４〜図２７は、上記ステップＳ１０７での判定処理の具体的な流れを表わしたフローチャートであり、それぞれ、ページ識別情報である文字と資料内の文字とのサイズ比率に基づく判定、ページ識別情報である文字のサイズに基づく判定、ページ識別情報である文字色と背景色との明度差に基づく判定、ページ識別情報である文字色と背景色との色相差（色空間での距離）に基づく判定、およびこれらすべてに基づく判定の具体的な流れを表わしている。
【００９６】
図２４を参照して、ＣＰＵ１０は、入力資料の画像データーを読み込むと共に、予め記憶している、ページ識別情報である文字と資料内の文字とのサイズ比率のしきい値Ａを読み込む（ステップＳ２０１）。
【００９７】
ＣＰＵ１０は、入力資料の画像データー中のページ識別情報以外の文字のうちの最小の文字を特定し、そのサイズ（たとえばフォントサイズ）Ｍｉｎ１を算出する（ステップＳ２０３）。また、ＣＰＵ１０は、入力資料の画像データー中のページ識別情報の文字のサイズＭｉｎ２を算出する（ステップＳ２０５）。そして、その比率Ｒ（Ｒ＝Ｍｉｎ２／Ｍｉｎ１）を算出する（ステップＳ２０７）。
【００９８】
ＣＰＵ１０は、ステップＳ２０７で算出された比率Ｒとしきい値Ａとを比較し、比率Ｒがしきい値Ａ以上である場合（Ｒ≧Ａ）には（ステップＳ２０９でＹＥＳ）、ページ識別情報の文字サイズの比率に基づく表示基準が満たされ、第２のページ識別情報として適しているものとして、その画像データーを発表者用データーとして出力する（ステップＳ２１１）。
【００９９】
一方、比率Ｒがしきい値Ａを満たさない場合（Ｒ＜Ａ）には（ステップＳ２０９でＮＯ）、表示基準を満たしていないとして、第２の識別情報を生成する処理へ進む（ステップＳ２１３）。
【０１００】
図２５を参照して、ＣＰＵ１０は、入力資料の画像データーを読み込むと共に、予め記憶している、ページ識別情報である文字のサイズのしきい値Ｂを読み込む（ステップＳ３０１）。
【０１０１】
ＣＰＵ１０は、入力資料の画像データー中のページ識別情報の文字のサイズＭｉｎ２を算出し（ステップＳ３０３）、サイズＭｉｎ２としきい値Ｂとを比較する。その結果、サイズＭｉｎ２がしきい値Ｂ以上である場合（Ｍｉｎ２≧Ｂ）には（ステップＳ３０５でＹＥＳ）、ページ識別情報の文字サイズに基づく表示基準が満たされ、第２のページ識別情報として適しているものとして、その画像データーを発表者用データーとして出力する（ステップＳ３０７）。
【０１０２】
一方、サイズＭｉｎ２がしきい値Ｂを満たさない場合（Ｍｉｎ２＜Ｂ）には（ステップＳ３０５でＮＯ）、表示基準を満たしていないとして、第２の識別情報を生成する処理へ進む（ステップＳ３０９）。
【０１０３】
図２６を参照して、ＣＰＵ１０は、入力資料の画像データーを読み込むと共に、予め記憶している、ページ識別情報である文字色と背景色との明度差のしきい値Ｃを読み込む（ステップＳ４０１）。
【０１０４】
ＣＰＵ１０は、入力資料の画像データー中の、ページ識別情報の位置の下地色を抽出する（ステップＳ４０３）。また、ＣＰＵ１０は、ページ識別情報の文字の色を抽出する（ステップＳ４０５）。そして、下地色の明度Ｌ１とページ識別情報の文字色の明度Ｌ２とをそれぞれ算出する（ステップＳ４０７）。
【０１０５】
ＣＰＵ１０は、ステップＳ４０７で算出された明度Ｌ１，Ｌ２の差としきい値Ｃとを比較し、明度の差がしきい値Ｃ以上である場合（｜Ｌ２−Ｌ１｜≧Ｃ）には（ステップＳ４０９でＹＥＳ）、ページ識別情報の文字色と背景色との明度差に基づく表示基準が満たされ、第２のページ識別情報として適しているものとして、その画像データーを発表者用データーとして出力する（ステップＳ４１１）。
【０１０６】
一方、明度差がしきい値Ｃを満たさない場合（｜Ｌ２−Ｌ１｜＜Ｃ）には（ステップＳ４０９でＮＯ）、表示基準を満たしていないとして、第２の識別情報を生成する処理へ進む（ステップＳ４１３）。
【０１０７】
図２７を参照して、ＣＰＵ１０は、入力資料の画像データーを読み込むと共に、予め記憶している、ページ識別情報である文字色と背景色との色相差（色空間での距離）のしきい値Ｄを読み込む（ステップＳ５０１）。
【０１０８】
ＣＰＵ１０は、入力資料の画像データー中の、ページ識別情報の位置の下地色を抽出する（ステップＳ５０３）。また、ＣＰＵ１０は、ページ識別情報の文字の色を抽出する（ステップＳ５０５）。そして、下地色とページ識別情報の文字色との色相差（色空間での距離）△Ｒを算出する（ステップＳ５０７）。
【０１０９】
ＣＰＵ１０は、ステップＳ５０７で算出された色相差△Ｒとしきい値Ｄとを比較し、色相差△Ｒがしきい値Ｄ以上である場合（△Ｒ≧Ｄ）には（ステップＳ５０９でＹＥＳ）、ページ識別情報の文字色と背景色との色相差に基づく表示基準が満たされ、第２のページ識別情報として適しているものとして、その画像データーを発表者用データーとして出力する（ステップＳ５１１）。
【０１１０】
一方、色相差△Ｒがしきい値Ｄを満たさない場合（△Ｒ＜Ｄ）には（ステップＳ５０９でＮＯ）、表示基準を満たしていないとして、第２の識別情報を生成する処理へ進む（ステップＳ５１３）。
【０１１１】
さらに、これらの判定処理を組み合わせてもよい。
すなわち、図２８を参照して、ＣＰＵ１０は、入力資料の画像データーを読み込むと共に、予め記憶している、上記しきい値Ａ〜Ｄを読み込む（ステップＳ６０１）。そして、図２４〜図２７で表わされたそれぞれの判定処理を行ない、すべての判定において表示基準を満たしているとされた場合に（ステップＳ６０３〜Ｓ６０９のすべてにおいてＹＥＳ）、ＣＰＵ１０は、入力資料の画像データー中のページ識別情報が第２のページ識別情報として適しているものとして、その画像データーを発表者用データーとして出力する（ステップＳ６１１）。
【０１１２】
一方、１つの表示基準でも満たしていない場合には（ステップＳ６０３〜Ｓ６０９のいずれかでＮＯ）、ＣＰＵ１０は、入力資料の画像データー中のページ識別情報が第２のページ識別情報として適していないとして、第２の識別情報を生成する処理へ進む（ステップＳ６１３）。
【０１１３】
なお、図２８は図２４〜図２７で表わされたすべての判定処理を組み合わせるものとしているが、図２４〜図２７で表わされた判定処理のうちの２以上を組み合わせてもよい。
【０１１４】
＜実施の形態の効果＞
本実施の形態にかかる画像形成装置１００が上述のように動作して入力資料に基づいて聴衆用資料と発表者用資料とを作成することで、聴衆者が発表者用資料を見ることで、自身の手元にある聴衆用資料のうちの対象のページを直感的に特定することができる。
【０１１５】
また、画像形成装置１００では、入力資料に予めページ番号が記載されていないか、さらに、記載されていても認識可能なように（資料全体で連続して）記載されているか、を確認し、これが満たされていない場合に入力資料に基づいてページ識別情報を生成する。つまり、聴衆者にとって十分に認識できない場合に限り入力資料を改変することになるため、一律にページ識別情報を生成するとした場合に発生する、不必要な改変によるレイアウトの崩れを防ぐことができる。
【０１１６】
さらに、画像形成装置１００のＣＰＵ１０に上述の動作を行なわせるためのプログラムを提供することもできる。このようなプログラムは、コンピューターに付属するフレキシブルディスク、ＣＤ−ＲＯＭ（Compact Disk-Read Only Memory）、ＲＯＭ、ＲＡＭおよびメモリカードなどのコンピューター読み取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【０１１７】
なお、本発明にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１１８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１１９】
提供されるプログラム製品は、ハードディスクなどのプログラム格納部にインストールされて実行される。なお、プログラム製品は、プログラム自体と、プログラムが記録された記録媒体とを含む。
【０１２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２１】
１０  ＣＰＵ、１１  ＲＯＭ、１２  ＲＡＭ、１３  スキャナー、１４  プリンター、１５  操作パネル、１６  メモリー、１７  通信コントローラー、１００  画像形成装置、１０１  取得部、１０２  ページ識別情報生成部、１０３  視認性判定部、１０４  発表者用データー生成部、１０５  聴衆用データー生成部、１６１  外部環境情報記憶部。
【図２１】
0005891911.tif 000002
【図２２】
0005891911.tif 000003
【図２３】
0005891911.tif 000004
【図２４】
0005891911.tif 000005
【図２５】
0005891911.tif 000006
【図２６】
0005891911.tif 000007
【図２７】
0005891911.tif 000008
【図２８】
0005891911.tif 000009
【図１】
0005891911.tif 000010
【図２】
0005891911.tif 000011
【図３】
0005891911.tif 000012
【図４】
0005891911.tif 000013
【図５】
0005891911.tif 000014
【図６】
0005891911.tif 000015
【図７】
0005891911.tif 000016
【図８】
0005891911.tif 000017
【図９】
0005891911.tif 000018
【図１０】
0005891911.tif 000019
【図１１】
0005891911.tif 000020
【図１２】
0005891911.tif 000021
【図１３】
0005891911.tif 000022
【図１４】
0005891911.tif 000023
【図１５】
0005891911.tif 000024
【図１６】
0005891911.tif 000025
【図１７】
0005891911.tif 000026
【図１８】
0005891911.tif 000027
【図１９】
0005891911.tif 000028
【図２０】
0005891911.tif 000029